(57)【特許請求の範囲】
【請求項１】
カードホルダが第１の位置および第２の位置の間で動かされることを可能にするように構成される摺動機構と；
前記カードホルダを前記第１の位置に向けて付勢するように構成される弾性部材と、
前記カードホルダが前記第２の位置にあるときに前記弾性部材の応力が調整されることを可能にするように構成される調整機構と；
を備え、ここで前記弾性部材の前記応力の前記調整は、前記第２の位置が調整されることを可能にする、装置。
【請求項２】
前記第１の位置は開位置である、請求項１に記載の装置。
【請求項３】
前記第２の位置は閉位置である、請求項１または２に記載の装置。
【請求項４】
前記装置はカードホルダを備える、請求項１から３のいずれかに記載の装置。
【請求項５】
前記カードホルダは内側部分および外側部分を備え、前記内側部分はカードを受容するように構成され、前記外側部分はケーシングの外表面の一部分を形成するように構成される、請求項１から４のいずれかに記載の装置。
【請求項６】
前記調整機構は、前記カードホルダが前記第２の位置にあるときに前記カードホルダの前記外側部分が前記ケーシングの前記外表面と連続的な表面を形成するように構成される、請求項５に記載の装置。
【請求項７】
第２の位置はケーシングに対して調整される、請求項１に記載の装置。
【請求項８】
前記調整機構は摺動機構を備える、請求項１から７のいずれかに記載の装置。
【請求項９】
前記摺動機構は、前記弾性部材の前記応力を調整するために第１の位置と第２の位置との間で動かされるように構成される、請求項１から８のいずれかに記載の装置。
【請求項１０】
前記調整機構はラチェット機構を備える、請求項１から７のいずれかに記載の装置。
【請求項１１】
請求項１から１０のいずれかに記載の装置を備えるデバイス。
【請求項１２】
前記デバイスは通信デバイスである、請求項１１に記載のデバイス。
【発明の詳細な説明】
【技術分野】
【０００１】
本開示の実施形態は、カードリーダを動かすための装置に関する。特に、本開示の実施形態は、たとえば通信デバイスまたはその他の好適な電子デバイスなどのデバイスにおいてカードリーダを動かすための装置に関する。
【背景】
【０００２】
カードおよびカードリーダを用いる、たとえば通信デバイスまたはその他の電子デバイスなどのデバイスが公知である。こうしたデバイスにおいて、カードはカードホルダに挿入される。デバイスは、カードホルダ内のカードがデバイス内のカードリーダと位置合わせされ得るように構成されてもよい。加えてデバイスおよびカードホルダは、カードホルダがデバイスのケーシングと位置合わせされることを可能にするように構成されてもよい。
【摘要】
【０００３】
必ずしもすべてではないがさまざまな実施形態に従うと、カードホルダが第１の位置および第２の位置の間で動かされることを可能にするように構成される摺動機構と、カードホルダを第１の位置に向けて付勢するように構成される弾性部材と、カードホルダが第２の位置にあるときに弾性部材の応力が調整されることを可能にするように構成される調整機構とを備える、装置が提供される。
【０００４】
いくつかの実施形態において、第１の位置は開位置であってもよい。
【０００５】
いくつかの実施形態において、第２の位置は閉位置であってもよい。
【０００６】
いくつかの実施形態において、装置はカードホルダを備えてもよい。
【０００７】
いくつかの実施形態において、カードホルダは内側部分および外側部分を備えてもよく、内側部分はカードを受容するように構成されてもよく、外側部分はケーシングの外表面の一部分を形成するように構成されてもよい。
【０００８】
いくつかの実施形態において、調整機構は、カードホルダが第２の位置にあるときにカードリーダの外側部分がケーシングの外表面と連続的な表面を形成するように構成されてもよい。
【０００９】
いくつかの実施形態において、弾性部材の応力の調整によって、第２の位置が調整されることが可能になってもよい。第２の位置はケーシングに対して調整されてもよい。
【００１０】
いくつかの実施形態において、調整機構は摺動機構を備えてもよい。
【００１１】
いくつかの実施形態において、摺動部は、弾性部材の応力を調整するために第１の位置と第２の位置との間で動かされるように構成されてもよい。
【００１２】
いくつかの実施形態において、調整機構はラチェット機構を備えてもよい。
【００１３】
必ずしもすべてではないがさまざまな実施形態に従うと、上述のとおりの装置を備えるデバイスがさらに提供されてもよい。
【００１４】
そのデバイスは通信デバイスであってもよい。
【００１５】
その装置は、デバイス内のカードリーダの位置を調整するためのものであってもよい。そのデバイスは、たとえば無線通信などの通信のためのものであってもよい。
【図面の簡単な説明】
【００１６】
本開示の実施形態のさまざまな実施例をより良く理解するために、単なる例として添付の図面を参照する。
【００１７】
【図１Ａ】本開示の実施形態に従う装置を示す図である。
【図１Ｂ】本開示の実施形態に従う装置を示す図である。
【図２】本開示の実施形態に従う装置およびデバイスの断面を示す図である。
【図３Ａ】本開示の別の実施形態に従う装置およびデバイスを示す図である。
【図３Ｂ】本開示の別の実施形態に従う装置およびデバイスを示す図である。
【図３Ｃ】本開示の別の実施形態に従う装置およびデバイスを示す図である。
【図４Ａ】本開示の別の実施形態に従う装置を示す図である。
【図４Ｂ】本開示の別の実施形態に従う装置を示す図である。
【図５】本開示の別のさらなる実施形態に従う装置を示す図である。
【図６】本開示の別のさらなる実施形態に従う装置を示す図である。
【図７】本開示のさらなる実施形態に従う装置を示す図である。
【図８Ａ】図７の実施形態において用いられるラチェット機構を示す図である。
【図８Ｂ】図７の実施形態において用いられるラチェット機構を示す図である。
【図８Ｃ】図７の実施形態において用いられるラチェット機構を示す図である。
【図８Ｄ】図７の実施形態において用いられるラチェット機構を示す図である。
【図９】本開示の別のさらなる実施形態に従う装置を示す図である。
【図１０Ａ】本開示の別の実施形態を示す図である。
【図１０Ｂ】本開示の別の実施形態を示す図である。
【詳細説明】
【００１８】
図面は、カードホルダ５が第１の位置および第２の位置の間で動かされることを可能にするように構成される摺動機構９と、カードホルダ５を第１の位置に向けて付勢するように構成される弾性部材７と、カードホルダ５が第２の位置にあるときに弾性部材７の応力が調整されることを可能にするように構成される調整機構１１とを備える、装置１を示す。
【００１９】
図１Ａおよび図１Ｂは、本開示の実施形態に従う装置１を示す。装置１は、カードホルダ５を第１の位置および第２の位置の間で動かすための機構を備える。第１の位置は、図１Ａに示されるとおりの開位置または部分的開位置であってもよい。第２の位置は、図１Ｂに示されるとおりの閉位置であってもよい。
【００２０】
図１Ａおよび図１Ｂに示される例示的装置１は、摺動機構９および調整機構１１を備える。摺動機構９および調整機構１１は、カードホルダ５の位置を制御するように構成されてもよい。装置１およびカードホルダ５は、デバイス３内に含まれていてもよい。デバイス３は、たとえば無線通信デバイスまたはあらゆるその他の好適なデバイスなどの電子デバイスであってもよい。
【００２１】
図１Ａおよび図１Ｂに示される例示的実施形態において、デバイス３はケーシング１３を備える。ケーシング１３は、デバイス３に対する外部ハウジングを提供してもよい。明瞭にするために、図１Ａおよび図１Ｂにはケーシング１３の一部のみが示される。当然のことながら、ケーシング１３は装置１およびカードホルダ５を封入してもよい。
【００２２】
図１Ａおよび図１Ｂに示される装置１およびデバイス３の構成要素は、ケーシング１３内に含まれていてもよい。ケーシング１３はデバイス３の構成要素に対する保護を提供してもよい。たとえば、ケーシング１３は、デバイス３の構成要素をたとえば湿気または温度の変動などの大気状態から保護してもよい。加えてケーシング１３は、デバイス３の構成要素を機械的衝撃から保護するように構成されてもよい。
【００２３】
図１Ａおよび図１Ｂの例示的実施形態において、カードホルダ５は内側部分１５および外側部分１７を備えてもよい。内側部分１５は、カードホルダ５が図１Ｂに示されるとおりの第２の閉位置に置かれるときに、内側部分１５がデバイス３のケーシング１３内に位置するように構成されてもよい。いくつかの実施形態において、カードホルダの内側部分１５は、その全体がデバイス３のケーシング１３内に位置していてもよい。
【００２４】
カードホルダ５の内側部分１５は、カードを受容するように構成されてもよい。たとえば、カードホルダ５の内側部分１５は、たとえばメモリカードなどのカードを受容するようにサイズおよび形状が定められてもよい。加えて、カードホルダ５の内側部分１５は、カードをカードホルダ５内に固定するための手段を備えてもよい。
【００２５】
カードホルダ５の外側部分１７は、カードホルダ５が図１Ｂに示されるとおりの第２の閉位置にあるときに、カードホルダの外側部分１７がデバイス３のケーシング１３の一部分を形成するように構成されてもよい。図１Ａおよび図１Ｂの特定の実施形態において、カードホルダ５の外側部分１７の表面１９は、ケーシング１３の表面２１の一部分を形成してもよい。カードホルダ５の外側部分１７の表面１９がケーシング１３の表面２１と同一平面上にあることによって、２つの表面１９、２１が同じ高さになってもよい。このことによって、２つの表面１９、２１が連続的な面を形成することが可能になってもよい。
【００２６】
装置１は、カードホルダ５を動かすための手段を備える。装置１は、図１Ａに示される開位置と図１Ｂに示される閉位置との間でカードホルダ５を動かすことを可能にする任意の手段を備えてもよい。図１Ａおよび図１Ｂに示される例示的装置１は、第１の摺動機構９および調整機構１１を備える。この特定の例示的実施形態において、調整機構１１は第２の摺動機構２５を備える。当然のことながら、本開示の他の実施形態においては、カードホルダ５を動かすための他の手段が用いられてもよい。
【００２７】
図１Ａおよび図１Ｂに示される例示的実施形態において、第１の摺動機構９は第１の摺動部分２３を備える。第１の摺動部分２３は、第１の摺動部分２３が第１の位置と第２の位置との間を第１の摺動レールに沿って動けるよう、第１の摺動レールに結合するように構成されてもよい。図１Ａおよび図１Ｂの例示的実施形態において、第１の位置は開位置または部分的開位置であり、第２の位置は閉位置である。
【００２８】
第１の摺動部分２３は、第１の摺動部分２３が摺動レールに沿って動くことによって、カードホルダ５が動かされるよう、カードホルダ５に当接または結合するように構成されてもよい。第１の摺動部分２３は、カードホルダ５の移動によって第１の摺動部分２３の移動がもたらされるように、カードホルダ５に結合されるか、または当接してもよい。
【００２９】
装置１はさらに弾性部材７を備える。図１Ａおよび図１Ｂに示される例示的実施形態において、弾性部材７はばねを備える。当然のことながら、本開示の他の実施形態においては、代わりにあらゆるその他の好適な手段が用いられてもよい。
【００３０】
弾性部材７は、第１の摺動機構９に結合されてもよい。弾性部材７は第１の摺動部分２３に結合されることによって、弾性部材７内のたとえば弾性力などの力によって第１の摺動部分２３の移動を可能にしてもよい。
【００３１】
さらに、弾性部材７は、デバイス３のケーシング１３に結合されることによって、弾性部材７内の力が第１の摺動部分２３をデバイス３のケーシング１３に対して動かすことを可能にしてもよい。
【００３２】
弾性部材７は、第１の摺動部分２３およびカードホルダ５を第１の開位置に向けて付勢するように構成されてもよい。たとえば、図１Ａおよび図１Ｂに示される実施形態において、装置１が第２の閉位置にあるとき、ばねは圧縮される。圧縮されたばねは摺動部分２３に力を加えており、それによって摺動部分２３は開位置の方向に押される。図１Ｂの例示的実施形態において、ロック機構２９は、弾性部材７が摺動部分２３を開位置に戻せないようにする。
【００３３】
図１Ａおよび図１Ｂの例示的実施形態に示される装置１は、調整機構１１をさらに備える。調整機構１１は、弾性部材７の応力を調整するように構成され得る任意の手段を備えてもよい。調整機構１１は、カードホルダ５が図１Ｂの例示的実施形態に示されるとおりの第２の閉位置にあるときに、弾性部材７の応力が調整されることを可能にするように構成されてもよい。弾性部材７の応力は、弾性部材７の圧縮を調整することによって調整されてもよい。弾性部材の圧縮の調整は、第１の摺動機構の第１の摺動部分２３の位置を調整することによって達成されてもよい。
【００３４】
図１Ａおよび図１Ｂの例示的実施形態において、調整機構は第２の摺動機構２５を備える。第２の摺動機構２５は第２の摺動部分２７を備える。第２の摺動部分２７は、第２の摺動部分２７が２つの位置の間を第２の摺動レールに沿って動けるよう、第２の摺動レールに結合するように構成されてもよい。第２の摺動レールは、第２の摺動機構２５がデバイス３のケーシング１３に対して動くことを可能にするべく、デバイス３のケーシング１３内に備えられてもよい。
【００３５】
図１Ａおよび図１Ｂの例示的実施形態において、第２の摺動部分２７は、第１の摺動部分２３に隣接して位置決めされてもよい単一の部材を備える。本開示の他の実施形態においては、第２の摺動部分２７が異なる構成を有してもよく、たとえば第２の摺動部分２７はデバイス３のケーシング１３内の可塑性ハウジングを備えてもよい。
【００３６】
第２の摺動部分２７は、デバイス３のユーザが第２の摺動部分２７を第２の摺動レールに沿って動かすことを可能にするための手段２８を備えてもよい。手段２８は、デバイス３が組み立てられるときに第２の摺動部分２７を第２の摺動レールに沿って動かせるようにしてもよい。
【００３７】
第２の摺動部分２７は、第１の摺動機構９に結合されてもよい。図１Ａおよび図１Ｂの例示的実施形態において、第２の摺動部分２７は第１の摺動レールを備え、それに沿って第１の摺動部分２３が動いてもよい。したがって図１Ａおよび図１Ｂの例示的実施形態において、第１の摺動部分２３は第２の摺動部分２７上に装着される。こうした実施形態においては、デバイス３のケーシング１３に対する第２の摺動部分の移動によって、デバイス３のケーシング１３に対する第１の摺動部分２３の移動ももたらされる。
【００３８】
装置１はさらにロック機構２９を備えてもよい。図１Ａおよび図１Ｂに示される実施形態において、ロック機構２９は調整機構１１に結合される。ロック機構２９は、ロックピン３１およびロックプレート３３を備えてもよい。ロックピン３１は、ユーザの操作に応答してロックプレートが動くことを可能にするように構成されてもよい。
【００３９】
ロックプレート３３は、ロック位置とロック解除位置との間で動かされ得る突起を提供する。図１Ａでは、ロックプレート３３はロック解除位置にあり、第１の摺動部分２３は第１の摺動レールに沿って開位置へと自由に動いている。
【００４０】
図１Ｂでは、ロックプレート３３はロック位置にある。ロックプレートは第１の摺動レールの上に突出して、第１の摺動部分２３が摺動レールに沿って動けないようにする。これによって、摺動機構９およびカードホルダ５を閉位置に保持し、弾性部材７によって第１の摺動部分２３に加えられる力に抵抗する。
【００４１】
ロック機構２９は、ロック機構２９が第２の摺動部分２７に対する第１の摺動部分２３の移動を妨げ得るが、デバイス３のケーシング１３に対する第２の摺動部分２７の移動を妨げることがないように、調整機構１１に結合されてもよい。
【００４２】
上述した本開示の実施形態は、カードホルダ５の位置を調整することを可能にする装置１を提供する。本開示のいくつかの実施形態において、装置１はカードホルダ５の位置の正確な調整が行われることを可能にしてもよい。
【００４３】
カードホルダ５が開位置と閉位置との間で動かされることを可能にするために、第１の摺動機構９が用いられてもよい。弾性部材７は、カードホルダ５を開位置または部分的開位置に向けて付勢するように構成されてもよい。カードホルダ５が弾性部材７に押されて部分的開位置に来ると、次いでデバイス３のユーザが手動の力を加えて、カードホルダ５を完全な開位置まで引っ張ることができてもよい。カードホルダ５が完全に開くとき、カードホルダ５にカードが挿入されてもよい。
【００４４】
デバイス３のユーザは、矢印３５で示される内向きの方向に力を加えることによって、カードホルダ５を図１Ａに示される部分的開位置から図１Ｂに示される閉位置に押し込んでもよい。これによって弾性部材７が圧縮され、したがって弾性部材７に蓄えられる弾性力が増加する。ロックプレート３３は摺動機構を閉位置にロックし、第１の摺動部分２３が開位置の方に移動しないようにする。
【００４５】
調整機構１１は、弾性部材７の応力の調整を可能にする。図１Ａおよび図１Ｂの例示的実施形態において、摺動機構は、弾性部材７の圧縮を増加または減少させるように動かされ得る。それによって、弾性部材７の応力が増加または減少する。このことによって、第１の摺動機構９およびカードホルダ５が閉位置にあるときに、第１の摺動機構９およびカードホルダ５の位置を調整することが可能になる。
【００４６】
本開示の実施形態は、カードホルダ５の閉位置の調整を可能にし得る簡単な機構を提供してもよい。本開示のいくつかの実施形態においては、カードホルダ５の閉位置を調整することによって、カードホルダ５の外側部分１７の表面１９をデバイス３のケーシングの表面２１と位置合わせして、２つの表面１９、２１が互いに同一平面上になるようにすることを可能にしてもよい。このことによって、２つの表面１９、２１が連続的な表面を形成することが可能になってもよい。本開示のいくつかの実施形態においては、カードホルダ５の閉位置の調整によって、さらにカードホルダ５がデバイス３内のカードリーダの接触点と位置合わせされることが可能になってもよい。
【００４７】
図２は、本開示の実施形態に従う装置１およびデバイス３の断面を示す。図２に示される断面は、図１Ａおよび図１Ｂに示される装置１が閉位置にあるときの断面を示す。図１Ａおよび図１Ｂで用いられた参照番号が図２にも用いられる。
【００４８】
図２に示される例示的実施形態においては、調整機構１１を用いて第１の摺動部分２３およびカードホルダ５の位置を制御することにより、カードホルダ５の外側部分１７の表面１９とデバイス３のケーシングの表面２１とが互いに同一平面上にあるようにされている。図２に示される特定の実施形態において、２つの表面１９および２１は、カードホルダ５の外側部分１７の境界周辺に突出も凹みも有さない連続的な面を形成する。これによって、デバイス３のケーシング１３に平滑で連続的な表面が提供されることが可能になってもよい。それによって、カードホルダまたはカードリーダに付加的な保護が提供されてもよく、たとえばケーシング１３内に流体が進入する可能性が低減されてもよい。加えて、デバイス３のケーシング１３がより審美的に良好なものになってもよい。
【００４９】
図２に示される例示的実施形態において、ケーシング１３およびカードホルダの外側部分１７は両方とも調整機構１１の同じ部分と位置合わせされる。ケーシング１３およびカードホルダ５が両方とも同じ部分と位置合わせされるために、デバイス３の製造および許容差に対する制限による位置合わせ不良の可能性が低減される。
【００５０】
図３Ａから図３Ｃは、本開示の別の実施形態に従う装置１およびデバイス３を示す。図３Ａから図３Ｃは、図１Ａおよび図１Ｂおよび図２に示される装置１が閉位置にあるときを示す。図１Ａおよび図１Ｂおよび図２で用いられた参照番号が図３Ａから図３Ｃにも用いられる。図３Ａから図３Ｃにおいては、カードホルダ５の位置の調整、およびカードホルダ５内のカード４１とカードリーダの接触点４５との位置合わせの調整のために、調整機構１１が用いられている。
【００５１】
図３Ａから図３Ｃにおいて、カード４１はカードホルダ５に挿入されており、カードホルダ５は閉位置に動かされている。カード４１は、デバイス３のケーシング１３内に完全に含まれていてもよい。
【００５２】
デバイス３とカード４１との間で情報が伝達されることを可能にするために、カード４１上の接触パッド４３がカードリーダの接触点４５と位置合わせされることが有益である。カードリーダの接触点４５は、デバイス３のケーシング１３に対して固定されてもよい。カード４１上の接触パッド４３とカードリーダの接触点４５との位置合わせを確実にするために、調整機構１１を用いてカードホルダ５の位置を調整することが有益であり得る。
【００５３】
図３Ａにおいて、カード４１は、カードリーダの接触点４５がカード４１の接触パッド４３の中央と位置合わせされる好適な位置に置かれている。この特定の構成において、第２の摺動部分２７は、２つの極限位置の中間に位置する。いくつかの実施形態において、第２の摺動部分２７は、２つの極限位置から等距離またはほぼ等距離になるように位置してもよい。この構成は、カード４１とカードリーダとの間に信頼性の高い電気的接続が確立されることを可能にする。当然のことながら、他の実施形態においては、第２の摺動部分２７が２つの極限位置の間のあらゆる点に位置してもよい。
【００５４】
図３Ｂにおいて、カード４１は、カードリーダの接触点４５がカード４１の接触パッド４３の頂部と位置合わせされる位置に置かれている。この特定の構成において、第２の摺動部分２７は、第２の摺動レール位置の最下端部に位置する。図３Ｂに示される構成においてカード４１とカードリーダとの間に確立される電気的接続は、図３Ａに示される構成によって確立され得る電気的接続ほど信頼性が高くないかもしれない。電気的接続を改善するために、第２の摺動部分が矢印４７で示される方向に向かって第２の摺動レールに沿って動かされてもよい。
【００５５】
さらに図３Ｃにおいて、カード４１は、カードリーダの接触点４５がカード４１の接触パッド４３の底部と位置合わせされる位置に置かれている。この特定の構成において、第２の摺動部分２７は、第２の摺動レール位置の上端部に位置する。図３Ｃに示される構成においてカード４１とカードリーダとの間に確立される電気的接続は、図３Ａに示される構成によって確立され得る電気的接続ほど信頼性が高くないかもしれない。電気的接続を改善するために、第２の摺動部分が矢印４９で示される方向に向かって第２の摺動レールに沿って動かされてもよい。これは図３Ｂに示される方向とは反対方向である。
【００５６】
図４Ａおよび図４Ｂは、本開示の別の実施形態に従う装置１を示す。図１から図３に示されて上述された実施形態と同様に、装置１は、カードホルダ５を第１の位置と第２の位置との間で動かすように構成される機構を備える。第１の位置は、図１Ａに示されて上述されたとおりの開位置または部分的開位置であってもよい。第２の位置は、図１Ｂに示されて上述されたとおりの閉位置であってもよい。
【００５７】
図４Ａおよび図４Ｂに示される例示的装置１は、図１から図３に示されて上述された例示的装置と類似のものであるため、対応する特徴を示すために同じ参照番号が用いられる。図４Ａおよび図４Ｂに示される例示的装置１も摺動機構９および調整機構１１を備え、ここで摺動機構９および調整機構１１はカードホルダ５の位置を制御するように構成されてもよい。装置１およびカードホルダ５はデバイス３のケーシング１３内に含まれてもよく、デバイス３は、たとえば無線通信デバイスまたはあらゆるその他の好適なデバイスなどの電子デバイスであってもよい。
【００５８】
図４Ａおよび図４Ｂの例示的実施形態において示される装置１は、図１Ａおよび図１Ｂに関して上述した装置１と類似の第１の摺動機構９と、調整機構１１と、弾性部材とを備える。図４Ａおよび図４Ｂの例示的実施形態における調整機構１１も、図１Ａおよび図１Ｂに関して上述した第２の摺動機構２５と類似の第２の摺動機構２５を備える。
【００５９】
図４Ａおよび図４Ｂに示される実施形態が図１Ａおよび図１Ｂに示される実施形態と異なる点は、図４Ａおよび図４Ｂの実施形態においてはロック機構５１が調整機構１１上ではなく第１の摺動部分２３に設けられることである。
【００６０】
この例示的実施形態において、ロック機構５１は、第１の摺動部分２３の凹み部分５３に嵌合するように構成されるロック部材５９を備える。凹み部分５３は、第１のロック位置５５と第２のロック位置５７とを備えるように形状が定められる。凹み部分５３はさらに、ロック部材５９が第１のロック位置５５と第２のロック位置５７との間で動くことを可能にするように形状が定められる。ロック部材５９がロック位置の一方にあるときに、第１の摺動部分２３が第２の摺動部分２７に対して動けないようにするべく、ロック部材５９は第１の摺動部分２３および第２の摺動部分２７と結合される。
【００６１】
図４Ａに示される例示的実施形態において、装置１は、カードホルダ５が図１Ａに関して上述されたとおりの部分的開位置に位置決めされるように構成されている。この構成において、ロック部材５９は第１のロック位置５５に位置する。このため、第１の摺動部分２３が外向きに押されれば、開いた構成となり得る。
【００６２】
図４Ｂに示される例示的実施形態において、装置１は、カードホルダ５が図１Ｂに関して上述されたとおりの閉位置に位置決めされるように構成されている。デバイス３のユーザが、矢印３５で示される内向きの方向に力を加えることによって、カードホルダ５を図４Ａに示される部分的開位置から図４Ｂに示される閉位置に移動させてもよい。これによって弾性部材７が圧縮され、弾性部材７に蓄えられる弾性力が増加する。これによってさらに、ロック部材５９が凹み部分に沿って第２のロック位置５７まで押し込まれる。
【００６３】
図４Ａおよび図４Ｂの例示的実施形態において、ユーザは矢印６１で示される内向きの方向に力を加えることによって、ロック部材５９を第２のロック位置から解放してもよい。ロック部材５９が解放されると、圧縮された弾性部材７によって摺動部材２３に外向きの力が加えられ、装置１およびデバイス３を図４Ａに示される構成に戻すべく、第１の摺動部分２３およびカードリーダ５が開位置または部分的開位置に向かって押される。
【００６４】
図５は、本開示の別の例示的実施形態に従う別の装置１を示す。図１Ａから図４Ｂに示されて上述された実施形態と同様に、装置１は、カードホルダ５を第１の位置と第２の位置との間で動かすように構成される機構を備える。第１の位置は、図１Ａに示されて上述されたとおりの開位置または部分的開位置であってもよい。第２の位置は、図１Ｂに示されて上述されたとおりの閉位置であってもよい。
【００６５】
図５に示される例示的装置１は、図１Ａから図４Ｂに示されて上述された例示的装置と類似のものであるため、対応する特徴を示すために同じ参照番号が用いられる。図５に示される例示的装置１も摺動機構９および調整機構１１を備え、ここで摺動機構９および調整機構１１はカードホルダ５の位置を制御するように構成されてもよい。装置１およびカードホルダ５はデバイス３のケーシング１３内に含まれてもよく、デバイス３は、たとえば無線通信デバイスまたはあらゆるその他の好適なデバイスなどの電子デバイスであってもよい。
【００６６】
図５に示される装置１はロック機構２９を備える。図５に示される例示的実施形態において、ロック機構２９は調整機構１１に結合される。ロック機構２９は、ロックピン３１およびロックプレート３３を備えてもよい。ロックピン３１は、ユーザの操作に応答してロックプレートが動くことを可能にするように構成されてもよい。
【００６７】
ロックプレート３３は、ロック位置とロック解除位置との間で動かされ得る突起を提供する。図１Ａでは、ロックプレート３３はロック解除位置にあり、第１の摺動部分２３は第１の摺動レールに沿って開位置へと自由に動いている。
【００６８】
図５に示される例示的実施形態において、ロックプレート３３はロック位置にあり、カードホルダ５に対して突出している。カードホルダは、ロックプレート３３に当接する隆起部分１０を備えてもよい。ロックプレート３３は、カードホルダ５が開位置まで動かされないようにするよう構成される。これによって、さらに第１の摺動部分２３が摺動レールに沿って動けないようにしてもよい。これによって、摺動機構９およびカードホルダ５を閉位置に保持し、弾性部材７によって第１の摺動部分２３に加えられる力に抵抗する。
【００６９】
ロック機構２９は、ロック機構２９が第２の摺動部分２７に対する第１の摺動部分２３の移動を妨げ得るが、デバイス３のケーシング１３に対する第２の摺動部分２７の移動を妨げることがないように、調整機構１１に結合されてもよい。
【００７０】
図６は、本開示の別の実施形態に従う装置１を示す。図１Ａから図５に示されて上述された実施形態と同様に、装置１は、カードホルダ５を第１の位置と第２の位置との間で動かすように構成される機構を備える。第１の位置は、図１Ａに示されて上述されたとおりの開位置または部分的開位置であってもよい。第２の位置は、図１Ｂに示されて上述されたとおりの閉位置であってもよい。
【００７１】
図６に示される例示的装置１は、図１Ａから図５に示されて上述された例示的装置と類似のものであるため、対応する特徴を示すために同じ参照番号が用いられる。図６に示される例示的装置１も摺動機構９および調整機構１１を備え、ここで摺動機構９および調整機構１１はカードホルダ５の位置を制御するように構成されてもよい。装置１およびカードホルダ５はデバイス３のケーシング１３内に含まれてもよく、デバイス３は、たとえば無線通信デバイスまたはあらゆるその他の好適なデバイスなどの電子デバイスであってもよい。
【００７２】
図６の例示的実施形態において、摺動機構９は上述の図１Ａおよび図１Ｂの摺動機構９と類似のものであり、上述のとおり、第１の摺動部分２３を開位置に向けて付勢するように構成される弾性部材７を備える。
【００７３】
図６に示される例示的実施形態において、調整機構１１はさらなる弾性部材８を備える。さらなる弾性部材８は、ばねまたは任意その他の好適な手段を備えてもよい。
【００７４】
さらなる弾性部材８は、デバイス３のケーシング１３および調整機構１１の第２の摺動部分２７に結合されてもよい。さらなる弾性部材８は、第２の摺動部分２７をデバイス３のケーシング１３の前方に向けて付勢してもよい。これによって第１の弾性部材７の応力が調整されてもよい。
【００７５】
図７は、本開示の別の実施形態に従う装置１を示す。図１から図４に示されて上述された実施形態と同様に、装置１は、カードホルダ５を第１の位置と第２の位置との間で動かすための機構を備える。第１の位置は、図１Ａに示されるとおりの開位置または部分的開位置であってもよい。第２の位置は、図１Ｂに示されるとおりの閉位置であってもよい。図７は、閉位置にある装置１の一部分を示す。
【００７６】
図７に示される例示的装置１は、図１から図４に示されて上述された例示的装置と類似のものであるため、対応する特徴を示すために同じ参照番号が用いられる。図７に示される例示的装置１も摺動機構９および調整機構１１を備え、ここで摺動機構９および調整機構１１はカードホルダ５の位置を制御するように構成されてもよい。装置１およびカードホルダ５はデバイス３のケーシング１３内に含まれてもよく、デバイス３は、たとえば無線通信デバイスまたはあらゆるその他の好適なデバイスなどの電子デバイスであってもよい。
【００７７】
図７の例示的実施形態に示される装置１は、第１の摺動機構９と、弾性部材７と、調整機構１１とを備える。しかし、図７に示される実施形態が図１から図４に示されて上述された実施形態と異なる点は、図７の実施形態の調整機構１１が第２の摺動機構２５ではなくラチェット機構７１を備えることである。
【００７８】
ラチェット機構７１は、摺動部分２３が或る位置範囲の間を摺動するのではなく、複数の別個の位置の間で動くことを可能にする。
【００７９】
図７の実施形態において用いられるラチェット機構７１の例が図８Ａから図８Ｄに示される。
【００８０】
ラチェット機構７１は、少なくとも１つのラチェット７３を備える。ラチェット７３の一例を図８Ａに示す。ラチェット７３は複数の歯７５を備える。図７および図８Ａに示される特定の例において、歯７５は丸くなっている。歯７５の形状は、十分な力が加えられたとき対応する係合部分が歯７５に対して移動することを可能にするように構成されてもよい。
【００８１】
図７に示される例示的実施形態において、ラチェット７３はデバイス３のケーシング１３内に配置される。例示的実施形態において、ラチェット７３は摺動部分２３の摺動レールと平行に位置決めされる。例示的実施形態において、ラチェット７３はさらに、歯７５を上向きにして配置される。
【００８２】
図８Ｂに示されるとおり、例示的ラチェット機構７１はさらに爪７７を備える。爪７７は、鉛直方向に動くように構成される部材を備える。本開示のいくつかの実施形態において、爪７７の部材は、ユーザが装置１に十分な力を加えると爪７７の部材が曲がり得るようにするために十分に柔軟な材料を含んでもよい。他の実施形態において、爪７７または爪の部分はピボットの上に装着されてもよい。
【００８３】
図８Ｂの例示的実施形態において、爪７７は係合部分７９を備える。係合部分７９は、ラチェット７３の歯７５と係合するように構成されてもよい。係合部分７９がラチェット７３の２つの歯７５の間に位置するとき、これによって、爪７７がラチェット７３に対して動けないようにする。特に、係合部分７９がラチェット７３の２つの歯７５の間に位置するとき、これによって爪７７が摺動機構９の摺動レールに平行な方向に沿って動けないようにする。
【００８４】
図７に示される例示的実施形態において、爪７７は摺動部分２３に結合される。爪７７は、摺動部分２３と爪７７とが互いに移動するように摺動部分２３に結合されてもよい。爪７７が所定の位置にロックされるとき、それによって摺動部分２３も所定の位置にロックされる。
【００８５】
爪７７を図８Ｂに示されるロック位置から解放できるようにするために、図８Ｃに示されるとおり、ラチェット７３に隣接してロック解除部材８３が設けられる。ロック解除部材８３は、ラチェット７３の長さに平行な方向に矢印８５で示される方向に向けて押されたときに、ラチェット７３を押し下げるような形状にされる。
【００８６】
図８Ｃに示される例示的実施形態においては、ラチェット７３の下にばねプレート８１が設けられる。ラチェット７３が下向きに動くことによって、ばねプレート８１も押し下げられる。
【００８７】
ラチェット７３が押し下げられるとき、それによってラチェット７３は爪７７の係合部分７９に対して鉛直に動く。これによって、爪７７の係合部分７９がラチェット７３の歯７５の間から解放され、爪７７と摺動部分２３とが互いに対して水平方向に動くことが可能になる。
【００８８】
ロック解除部材８３に加えられる力が取り除かれると、ばねプレート８１はラチェット７３を上方に押し戻し、爪７７の係合部分７９が再びラチェット７３の歯の間に係合されることを可能にする。
【００８９】
ロック解除部材８３は、ユーザがロック解除部材に力を加えることを可能にするように構成されてもよい。ユーザがラチェット機構をロック解除できるようにするべく、ユーザがロック解除部材８３に直接的または間接的に力を加えることができるようにしてもよい。
【００９０】
図８Ｄは、本開示の実施形態に従うばねプレート８１を示す。図８Ｄに示されるばねプレート８１は複数のセクションを備えており、そのため、たとえば図９に示されるような複数のラチェット７３を備える調整機構１１とともに用いられるのに好適であり得る。図８Ｄの特定の例において、ばねプレート８１は３つのセクションを備え、そのため、３つのラチェット７３を備える調整機構１１とともに用いられてもよい。本開示のいくつかの実施形態において、ばねプレート８１のセクションの数は、調整機構１１のラチェット７３の数と同じであってもよい。こうした実施形態において、ばねプレート８１の各セクションは、異なるラチェット７３の下に配置されてもよい。
【００９１】
図９は、本開示の別の実施形態に従う装置１を示す。図９に示される実施形態は図７に示される実施形態と同じであるが、図７においては調整機構１１が単一のラチェット７３を備えるのに対し、図９においては調整機構１１が複数のラチェット７３を備える。
【００９２】
図９において、各々のラチェット７３は、図８Ａに示される複数の歯を備えたラチェット７３と同じものである。図９の例示的実施形態において、歯７５が他のラチェットと位置合わせされないよう、複数のラチェットは互いに平行だが互い違いの構成で配置されている。これによって、歯７５の間隔をより微細にしたラチェット７３を提供する必要なく、爪７７のロック位置をより多数提供することができる。
【００９３】
図７から図９に示されて上述された本開示の実施形態は、カードホルダ５の位置を調整するように摺動部分２３の位置を調整できる装置１を提供する。図１Ａおよび図１Ｂに示される実施形態と同様に、カードホルダ５を開位置と閉位置との間で動かすことを可能にするために第１の摺動機構９が用いられてもよく、弾性部材７はカードホルダ５を開位置または部分的開位置に向けて付勢するように構成されてもよい。
【００９４】
ラチェット機構７１は、弾性部材７の応力の調整を可能にする。図７から図９の例示的実施形態において、ラチェット機構７１は、摺動部分２３を漸増的に動かして弾性部材７の圧縮を増加または減少させるために用いられてもよい。これによって弾性部材７の応力が増加または減少する。それによって、第１の摺動機構９およびカードホルダ５が閉位置にあるときに第１の摺動機構９およびカードホルダ５の位置を調整することが可能になる。
【００９５】
図１０Ａおよび図１０Ｂは、本開示の別の実施形態を示す。図１０は本開示の実施形態に従う装置１を示し、ここではケーシング１３と調整機構１１との間に接続部分９０が設けられている。図１０Ｂは接続部分９０をより詳細に示す。
【００９６】
図１Ａから図９に示されて上述された実施形態と同様に、装置１は、カードホルダ５を第１の位置と第２の位置との間で動かすように構成される機構を備える。第１の位置は、図１Ａに示されて上述されたとおりの開位置または部分的開位置であってもよい。第２の位置は、図１Ｂおよび図１０Ａに示されて上述されたとおりの閉位置であってもよい。
【００９７】
図１０Ａおよび図１０Ｂに示される例示的装置１は、図１Ａから図９に示されて上述された例示的装置と類似のものであるため、対応する特徴を示すために同じ参照番号が用いられる。図１０Ａおよび図１０Ｂに示される例示的装置１も摺動機構９および調整機構１１を備え、ここで摺動機構９および調整機構１１はカードホルダ５の位置を制御するように構成されてもよい。装置１およびカードホルダ５はデバイス３のケーシング１３内に含まれてもよく、デバイス３は、たとえば無線通信デバイスまたは任意のその他の好適なデバイスなどの電子デバイスであってもよい。図１０Ａおよび図１０Ｂの装置における摺動機構９および調整機構１１およびロック機構２９は、図１Ａおよび図１Ｂに示される実施形態のものと類似のものであるが、当然のことながら、本開示の他の実施形態においては他の配置が用いられてもよい。
【００９８】
図１０Ａおよび図１０Ｂに示される例示的実施形態において、調整機構１１にはフック部分９１が設けられる。さらに、ケーシング１３には、対応するフック部分９３が設けられる。図１０Ａおよび図１０Ｂの例示的実施形態において、２つのフック部分９１、９３はどちらも直角または実質的に直角の部分を備える。当然のことながら、本開示の他の実施形態においては、他の形状のフック部分９１、９３が用いられてもよい。
【００９９】
２つのフック部分９１、９３は、ケーシング１３と調整機構１１との間に接続部分９０を設けるように配置される。それによって、ケーシング１３に対する調整機構１１の位置を制御することが可能になってもよい。２つのフック部分９１、９３は、調整機構１１とケーシング１３とが互いに予め定められた距離を置いて配置されることを確実にしてもよい。２つのフック部分９１、９３がともに結合され得るように、調整機構１１の位置が調整されてもよい。これによって、さらに弾性部材７の応力が調整されてもよい。
【０１００】
上述の本開示の実施形態は、カードホルダ５の閉位置の調整を可能にし得る機構を提供してもよい。この機構は、カードホルダの位置を漸増的にまたは連続的な範囲で調整することを可能にしてもよい。この機構は、デバイス３のケーシング１３に対するカードホルダ５の位置が正確に調整されることを可能にしてもよい。
【０１０１】
カードホルダ５の位置の調整によって、カードホルダ５の外側部分１７とデバイスのケーシング１３とのより良好な位置合わせが可能になるようにしてもよい。加えて、カードホルダ５の位置の調整によって、カードホルダ５内のカードの接触パッド４３と、デバイス３内のカードリーダの接触点とのより良好な位置合わせが可能になってもよい。
【０１０２】
調整機構は、デバイス３の製造許容差における制限を補償するためにカードホルダの位置を調整することができるようにしてもよい。
【０１０３】
先行する段落においては、さまざまな例を参照して本開示の実施形態を説明したが、当然のことながら、請求される本開示の範囲から逸脱することなく、提供された例に変更が加えられ得る。
【０１０４】
先行する記載において説明された特徴は、明示的に記載された組み合わせ以外の組み合わせで用いられてもよい。
【０１０５】
特定の特徴を参照して機能を説明したが、それらの機能は、説明されたかまたは説明されていない他の特徴によって実行可能であってもよい。
【０１０６】
特定の実施形態を参照して特徴を説明したが、それらの特徴は、説明されたかまたは説明されていない他の実施形態にも存在してもよい。
【０１０７】
前述の明細書においては、特に重要であると考えられる本開示の特徴に注目を集めるよう努力しているが、当然のことながら、出願人は、そこに特定の強調がなされたか否かにかかわらず、前述において言及されるか、および／または図面に示されたあらゆる特許可能な特徴もしくは特徴の組み合わせに関して保護を請求する。
【図１Ａ】
0005926859.tif 000002
【図１Ｂ】
0005926859.tif 000003
【図２】
0005926859.tif 000004
【図３Ａ】
0005926859.tif 000005
【図３Ｂ】
0005926859.tif 000006
【図３Ｃ】
0005926859.tif 000007
【図４Ａ】
0005926859.tif 000008
【図４Ｂ】
0005926859.tif 000009
【図５】
0005926859.tif 000010
【図６】
0005926859.tif 000011
【図７】
0005926859.tif 000012
【図８Ａ】
0005926859.tif 000013
【図８Ｂ】
0005926859.tif 000014
【図８Ｃ】
0005926859.tif 000015
【図８Ｄ】
0005926859.tif 000016
【図９】
0005926859.tif 000017
【図１０Ａ】
0005926859.tif 000018
【図１０Ｂ】
0005926859.tif 000019